(57)【要約】  移動通信ネットワーク構成、及び移動通信ネットワーク構成を非公衆ネットワークをサポートするように動作させる方法を提供する。一実施形態によれば、通信ネットワーク機能を提供するように構成された第１通信ネットワーク・コンポーネントと、第１通信ネットワーク・コンポーネントの属性に対するアドミニストレーション及びマネジメントを行うように構成された第２通信ネットワーク・コンポーネントであって、属性は、第１通信ネットワーク・コンポーネントが通信ネットワーク機能を提供すべき１つ以上の非公衆通信ネットワーク加入者グループ又は１つ以上の非公衆通信ネットワークを規定する、第２通信ネットワーク・コンポーネントとを備える移動通信ネットワーク構成が説明される。（図１５）
2021526744.tif 000002
【特許請求の範囲】
【請求項１】
移動通信ネットワーク構成であって：
通信ネットワーク機能を提供するように構成された第１通信ネットワーク・コンポーネント；及び
前記第１通信ネットワーク・コンポーネントの属性に対するアドミニストレーション及びマネジメントを行うように構成された第２通信ネットワーク・コンポーネントであって、前記属性は、前記第１通信ネットワーク・コンポーネントが前記通信ネットワーク機能を提供すべき１つ以上の非公衆通信ネットワーク加入者グループ又は１つ以上の非公衆通信ネットワークを規定する、第２通信ネットワーク・コンポーネント；
を備え、前記第２通信ネットワーク・コンポーネントは、前記移動通信ネットワーク構成のオペレーション、アドミニストレーション及びメンテナンス・コンポーネントである、移動通信ネットワーク構成。
【請求項２】
前記第２通信ネットワーク・コンポーネントは前記属性のマネジメント・オペレーションを実行するように構成されている、請求項１に記載の移動通信ネットワーク構成。
【請求項３】
前記マネジメント・オペレーションは、前記第１通信ネットワーク・コンポーネントに対する前記属性の作成、前記第１通信ネットワーク・コンポーネントに対する前記属性の削除、又は前記属性の情報の修正である、請求項２に記載の移動通信ネットワーク構成。
【請求項４】
前記属性の作成は、前記１つ以上の非公衆通信ネットワーク又は１つ以上の非公衆通信ネットワーク加入者グループの規定を含む、請求項３に記載の移動通信ネットワーク構成。
【請求項５】
前記マネジメント・オペレーションは、ネットワーク機能データベースにおける前記属性の情報の登録である、請求項２に記載の移動通信ネットワーク構成。
【請求項６】
前記ネットワーク機能データベースは、ネットワーク・リポジトリ機能、サービス通信プロキシ、又はネットワーク機能のディスカバリ機能である、請求項５に記載の移動通信ネットワーク構成。
【請求項７】
前記属性は、前記第１通信ネットワーク・コンポーネントのネットワーク機能プロファイルの一部である、請求項１〜６のうちの何れか１項に記載の移動通信ネットワーク構成。
【請求項８】
前記属性は、前記第１通信ネットワーク・コンポーネントのネットワーク・リソース・モデル属性であり、アドミニストレーション及びマネジメントの目的で前記第２通信ネットワーク・コンポーネントにより使用される、請求項１〜７のうちの何れか１項の移動通信ネットワーク構成。
【請求項９】
前記第１通信ネットワーク・コンポーネントは、コア・ネットワーク・コンポーネントである、請求項１〜８のうちの何れか１項に記載の移動通信ネットワーク構成。
【請求項１０】
前記第１通信ネットワーク・コンポーネントは移動コア・ネットワークのネットワーク・コンポーネント、特にアクセス及び移動管理機能（ＡＭＦ）、セッション管理機能（ＳＭＦ）、又はユーザー・プレーン・ネットワーク機能（ＵＰＦ）である、請求項９に記載の移動通信ネットワーク構成。
【請求項１１】
前記第１通信ネットワーク・コンポーネントは、無線アクセス・ネットワーク・コンポーネント、特に基地局である、請求項１〜１０のうちの何れか１項に記載の移動通信ネットワーク構成。
【請求項１２】
前記無線アクセス・ネットワーク・コンポーネントは、複数の非公衆通信ネットワーク及び／又は複数の非公衆通信ネットワーク加入者グループの中で、無線リソース管理ポリシーに従って無線リソースを配分するように構成されている、請求項１１に記載の移動通信ネットワーク構成。
【請求項１３】
前記無線リソース管理ポリシーは前記無線アクセス・ネットワーク・コンポーネントにおけるローカル・コンフィギュレーションとして利用可能である、又は
前記第２通信ネットワーク・コンポーネントは前記無線アクセス・ネットワーク・コンポーネントの前記無線リソース管理ポリシーを設定するように構成されている、請求項１２に記載の移動通信ネットワーク構成。
【請求項１４】
非公衆通信ネットワークをサポートするように移動通信ネットワーク構成を動作させる方法であって：
通信ネットワーク・コンポーネントにより通信ネットワーク機能を提供するステップ；及び
前記通信ネットワーク・コンポーネントの属性に対するアドミニストレーション及びマネジメントを行うステップであって、前記属性は、前記通信ネットワーク・コンポーネントが前記通信ネットワーク機能を提供すべき１つ以上の非公衆通信ネットワーク加入者グループ又は１つ以上の非公衆通信ネットワークを規定する、ステップ；
を含み、前記アドミニストレーション及びマネジメントは、オペレーション、アドミニストレーション及びメンテナンス・コンポーネントにより実行される、方法。
【発明の詳細な説明】
【技術分野】
【０００１】
本開示は、移動通信ネットワーク構成、及び移動通信ネットワーク構成を非公衆ネットワークをサポートするように動作させる方法に関連する。
【背景技術】
【０００２】
５Ｇ（第５世代）移動通信に対しては、非公衆ネットワークが配備されてもよいことが予定されている。５Ｇ非公衆ネットワーク（ｎｏｎ−ｐｕｂｌｉｃ  ｎｅｔｗｏｒｋ：ＮＰＮ）は、（例えば、企業のメンバーのために企業によって配備される非公衆用に配備される５ＧＳ（５Ｇ通信システム）である。ＮＰＮはスタンドアロンＮＰＮ（ｓｔａｎｄａｌｏｎｅ  ＮＰＮ：ＳＮＰＮ）として配備される可能性があり、これはＮＰＮがＰＬＭＮ（Ｐｕｂｌｉｃ  Ｌａｎｄ  Ｍｏｂｉｌｅ  Ｎｅｔｗｏｒｋ）によって提供されるネットワーク機能に依存していないことを意味し、また、ＮＰＮは公衆ネットワーク統合ＮＰＮとして配備される可能性があり、これはＮＰＮがＰＬＭＮのサポートとともに配備されることを意味する。
【０００３】
現在の３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）の仕様は、アーキテクチャ・レベルでＮＰＮをサポートする方法について詳細に規定している。例えば、ＵＥの設定及び加入態様のため、ネットワーク及び／又はセル選択のため、及びネットワーク・アクセス制御のために、ＮＰＮ識別子が、移動端末（ＵＥ）、無線アクセス・ネットワーク（ＲＡＮ）及び５Ｇコア・ネットワーク（５ＧＣ）に必要とされることが規定されている。
【０００４】
それでもなお非公衆ネットワークとして通信ネットワーク構成の動作をサポートするメカニズムが望まれている。
【発明の概要】
【０００５】
一実施形態によれば、通信ネットワーク機能を提供するように構成された第１通信ネットワーク・コンポーネントと、第１通信ネットワーク・コンポーネントの属性に対するアドミニストレーション及びマネジメントを行うように構成された第２通信ネットワーク・コンポーネントであって、属性は、第１通信ネットワーク・コンポーネントが通信ネットワーク機能を提供すべき１つ以上の非公衆通信ネットワーク加入者グループ又は１つ以上の非公衆通信ネットワークを規定する、第２通信ネットワーク・コンポーネントとを備える移動通信ネットワーク構成が提供される。
【０００６】
更なる実施形態によれば、上記の移動通信ネットワーク構成に従って非公衆ネットワークをサポートするために移動通信ネットワーク構成を動作させるための方法が提供される。
【図面の簡単な説明】
【０００７】
図面において、様々な図面を通じて同様な参照符号は概して同一の部分を指す。図面は必ずしも正確な縮尺ではなく強調されており、概して本発明の原理を説明することに重点をおいている。以下の説明では、以下の図面を参照して種々の態様が説明される：
【図１】無線通信システムを示す。
【図２Ａ】ＳＮＰＮ（スタンドアロンＮＰＮ）としてのＮＰＮ（非公衆ネットワーク）の配備のための配備オプションを示す。
【図２Ｂ】ＳＮＰＮ（スタンドアロンＮＰＮ）としてのＮＰＮ（非公衆ネットワーク）の配備のための配備オプションを示す。
【図３】公衆ネットワーク統合ＮＰＮとしてのＮＰＮの配備を示す。
【図４】ＮＲ（ニュー・ラジオ）セルＮＲＭ（ネットワーク・リソース・モデル）の拡張を例示するテーブルを示す。
【図５】ＳＭＦ（セッション・マネジメント機能）ＮＲＭの拡張を例示するテーブルを示す。
【図６】ＵＰＦ（ユーザー・プレーン機能）ＮＲＭの拡張を例示するテーブルを示す。
【図７】プロビジョニングのＲＥＳＴＦｕｌｌ  ＨＴＴＰベースのソリューション・セットを使用することによるＯＡＭ機能によるＮＲセルのための（例えば、基地局における）ＮＲセルＭＯＩ（Ｍａｎａｇｅｄ  Ｏｂｊｅｃｔ  Ｉｎｓｔａｎｃｅ）作成の例を示すフロー図を示す。
【図８】プロビジョニングのＲＥＳＴＦｕｌ  ＨＴＴＰ（Ｈｙｐｅｒｔｅｘｔ  Ｔｒａｎｓｆｅｒ  Ｐｒｏｔｏｃｏｌ）ベースのソリューション・セットを使用することによるＯＡＭ（Ｏｐｅｒａｔｉｏｎ，  Ａｄｍｉｎｉｓｔｒａｔｉｏｎ  ａｎｄ  Ｍａｉｎｔｅｎａｎｃｅ）機能によるＮＲセルのためのＮＲセル属性修正の例を例示するフロー図を示す。
【図９】ネットワーク機能プロファイルの拡張を例示するテーブルを示す。
【図１０】ＲＥＳＴＦｕｌ  ＨＴＴＰベースのプロトコル・メッセージを使用することによるネットワーク機能によるＮＲＦ（ネットワーク・リポジトリ機能）でのネットワーク機能（ＮＦ）の登録を例示すフロー図を示す。
【図１１】ＲＥＳＴＦｕｌ  ＨＴＴＰベースのプロトコル・メッセージを使用することによるＯＡＭ関数によるＮＲＦ又はＳＣＰ（サービス通信プロキシ）でのネットワーク機能（ＮＦ）の登録を例示するフロー図を示す。
【図１２】ＲＥＳＴＦｕｌｌ  ＨＴＴＰベースのプロトコル・メッセージを使用することによるＮＲＦ又はＳＣＰ（サービス通信プロキシ）を使用することによるネットワーク機能で実行されるＮＦディスカバリを例示するフロー図を示す。
【図１３】公衆ネットワーク統合ＮＰＮ用のハイブリッド・セルを含む通信構成を示す。
【図１４】マルチＣＡＧセル・ベース配備を使用することによる公衆ネットワーク統合ＮＰＮとしてのＮＰＮ配備の別の例を示す。
【図１５】実施形態による移動通信ネットワーク構成を示す。
【図１６】非公衆ネットワークをサポートするために移動通信ネットワーク構成を動作させる方法を例示するフローチャート。
【発明を実施するための形態】
【０００８】
以下の詳細な説明は、本発明が実施されることが可能な本開示の具体的な詳細及び態様を例示として示す添付図面を参照している。他の態様が利用される可能性があり、本発明の範囲から逸脱することなく、構造的、論理的、及び電気的な変更が行われる可能性がある。本開示の様々な態様は、必ずしも相互に排他的ではなく、なぜなら本開示の幾つかの態様は本開示の１つ以上の他の態様と組み合わせて新たな態様を形成することが可能だからである。
【０００９】
本開示の態様に対応する種々の例を以下に記載する：
具体例１は、通信ネットワーク機能を提供するように構成された第１通信ネットワーク・コンポーネントと、第１通信ネットワーク・コンポーネントの属性に対するアドミニストレーション及びマネジメントを行うように構成された第２通信ネットワーク・コンポーネントとを備える移動通信ネットワーク構成であり、属性は、第１通信ネットワーク・コンポーネントが通信ネットワーク機能を提供すべき対象の１つ以上の非公衆通信ネットワーク加入者グループ又は１つ以上の非公衆通信ネットワークを規定する。
【００１０】
具体例２は具体例１による移動通信ネットワーク構成であり、その場合において、第２通信ネットワーク・コンポーネントは属性のマネジメント・オペレーションを実行するように構成されている。
【００１１】
具体例３は具体例２による移動通信ネットワーク構成であり、その場合において、マネジメント・オペレーションは、第１通信ネットワーク・コンポーネントに対する属性の作成、第１通信ネットワーク・コンポーネントに対する属性の削除、又は属性の情報の修正である。
【００１２】
具体例４は具体例３による移動通信ネットワーク構成であり、その場合において、属性の作成は、１つ以上の非公衆通信ネットワーク又は１つ以上の非公衆通信ネットワーク加入者グループの詳述を含む。
【００１３】
具体例５は具体例２による移動通信ネットワーク構成であり、その場合において、マネジメント・オペレーションは、ネットワーク機能データベースにおける属性の情報の登録である。
【００１４】
具体例６は具体例５による移動通信ネットワーク構成であり、その場合において、ネットワーク機能データベースは、ネットワーク・リポジトリ機能、サービス通信プロキシ、又はネットワーク機能のディスカバリ機能である。
【００１５】
具体例７は具体例１〜６のうちの何れか１つによる移動通信ネットワーク構成であり、その場合において、属性は、第１通信ネットワーク・コンポーネントのネットワーク機能プロファイルの一部である。
【００１６】
具体例８は具体例１〜７のうちの何れか１つによる移動通信ネットワーク構成であり、その場合において、属性は、第１通信ネットワーク・コンポーネントのネットワーク・リソース・モデル属性であり、アドミニストレーション及びマネジメントの目的で前記第２通信ネットワーク・コンポーネントにより使用される。
【００１７】
具体例９は具体例１〜８のうちの何れか１つによる移動通信ネットワーク構成であり、その場合において、第２通信ネットワーク・コンポーネントは、移動通信ネットワーク構成のオペレーション、アドミニストレーション及びメンテナンス・コンポーネントである。
【００１８】
具体例１０は具体例１〜９のうちの何れか１つによる移動通信ネットワーク構成であり、その場合において、第１通信ネットワーク・コンポーネントは、１つ以上の非公衆通信ネットワーク、又は１つ以上の非公衆通信ネットワーク加入者グループの加入者に通信ネットワーク機能を提供するように構成されている。
【００１９】
具体例１１は具体例１〜１０のうちの何れか１つによる移動通信ネットワーク構成であり、その場合において、第１通信ネットワーク・コンポーネントは、コア・ネットワーク・コンポーネントである。
【００２０】
具体例１２は具体例１１による移動通信ネットワーク構成であり、その場合において、第１通信ネットワーク・コンポーネントは移動コア・ネットワークのネットワーク・コンポーネント、特にアクセス及び移動管理機能（ＡＭＦ）、セッション管理機能（ＳＭＦ）、又はユーザー・プレーン・ネットワーク機能（ＵＰＦ）である。
【００２１】
具体例１３は具体例１〜１０のうちの何れか１つによる移動通信ネットワーク構成であり、その場合において、第１通信ネットワーク・コンポーネントは、無線アクセス・ネットワーク・コンポーネント、特に基地局である。
【００２２】
具体例１４は具体例１３による移動通信ネットワーク構成であり、その場合において、無線アクセス・ネットワーク・コンポーネントは、複数の非公衆通信ネットワーク及び／又は複数の非公衆通信ネットワーク加入者グループの中で、無線リソース管理ポリシーに従って無線リソースを配分するように構成されている。
【００２３】
具体例１５は具体例１４よる移動通信ネットワーク構成であり、その場合において、無線リソース管理ポリシーは無線アクセス・ネットワーク・コンポーネントにおけるローカル・コンフィギュレーションとして利用可能である、又は第２通信ネットワーク・コンポーネントは無線アクセス・ネットワーク・コンポーネントの無線リソース管理ポリシーを設定するように構成されている。
【００２４】
具体例１６は非公衆通信ネットワークをサポートするように移動通信ネットワーク構成を動作させる方法であり、通信ネットワーク・コンポーネントにより通信ネットワーク機能を提供するステップと、通信ネットワーク・コンポーネントの属性に対するアドミニストレーション及びマネジメントを行うステップとを含み、属性は、通信ネットワーク・コンポーネントが通信ネットワーク機能を提供すべき１つ以上の非公衆通信ネットワーク加入者グループ又は１つ以上の非公衆通信ネットワークを規定する。
【００２５】
具体例１７は具体例１６よる方法であり、その場合において、属性のマネジメント・オペレーションを実行するステップを含む。
【００２６】
具体例１８は具体例１７よる方法であり、その場合において、マネジメント・オペレーションは、第１通信ネットワーク・コンポーネントに対する属性の作成、第１通信ネットワーク・コンポーネントに対する属性の削除、又は属性の情報の修正である。
具体例１９は具体例１８よる方法であり、その場合において、属性の作成は、１つ以上の非公衆通信ネットワーク又は１つ以上の非公衆通信ネットワーク加入者グループの詳述を含む。
【００２７】
具体例２０は具体例１７よる方法であり、その場合において、マネジメント・オペレーションは、ネットワーク機能データベースにおける属性の情報の登録である。
【００２８】
具体例２１は具体例２０よる方法、その場合において、ネットワーク機能データベースは、ネットワーク・リポジトリ機能、サービス通信プロキシ、又はネットワーク機能のディスカバリ機能である。
【００２９】
具体例２２は具体例１６〜２１のうちの何れか１つによる方法であり、その場合において、属性は、通信ネットワーク・コンポーネントのネットワーク機能プロファイルの一部である。
【００３０】
具体例２３は具体例１６〜２２のうちの何れか１つによる方法であり、その場合において、
属性は、アドミニストレーション及びマネジメントの目的で使用されるネットワーク・リソース・モデル属性である。
【００３１】
具体例２４は具体例１６〜２３のうちの何れか１つによる方法であり、その場合において、前記アドミニストレーション及びマネジメントは、オペレーション、アドミニストレーション及びメンテナンス・コンポーネントにより実行される。
【００３２】
具体例２５は具体例１６〜２４のうちの何れか１つによる方法であり、その場合において、１つ以上の非公衆通信ネットワーク又は１つ以上の非公衆通信ネットワーク加入者グループの加入者に通信ネットワーク機能を提供するステップを含む。
【００３３】
具体例２６は具体例１６〜２５のうちの何れか１つによる方法であり、その場合において、通信ネットワーク・コンポーネントはコア・ネットワーク・コンポーネントである。
【００３４】
具体例２７は具体例２６による方法であり、その場合において、通信ネットワーク・コンポーネントは移動コア・ネットワークのネットワーク・コンポーネント、特にアクセス及び移動管理機能（ＡＭＦ）、セッション管理機能（ＳＭＦ）、又はユーザー・プレーン・ネットワーク機能（ＵＰＦ）である。
【００３５】
具体例２８は具体例１６〜２５のうちの何れか１つによる方法であり、その場合において、通信ネットワーク・コンポーネントは、無線アクセス・ネットワーク・コンポーネント、特に基地局である。
【００３６】
具体例２９は具体例２８による方法であり、その場合において、無線アクセス・ネットワーク・コンポーネントは、複数の非公衆通信ネットワーク及び／又は複数の非公衆通信ネットワーク加入者グループの中で、無線リソース管理ポリシーに従って無線リソースを配分するように構成されている。
【００３７】
具体例３０は具体例２９による方法であり、その場合において、無線リソース管理ポリシーは無線アクセス・ネットワーク・コンポーネントにおけるローカル・コンフィギュレーションとして利用可能であり、本方法は無線アクセス・ネットワーク・コンポーネントの無線リソース管理ポリシーを設定するステップを含む。
【００３８】
上記の任意の具体例のうちの１つ以上の特徴は、他の任意の何れかの具体例と組み合わせられる可能性があることに留意されたい。
【００３９】
以下においては様々な例がより詳細に説明される。
【００４０】
図１は無線通信システム１００を示す。
無線通信システム１００は、ＵＥ（ユーザー装置）、ナノ装置（ＮＥ）等の移動無線端末デバイス１０２を含む。加入者端末とも呼ばれる移動無線端末デバイス１０２は端末側を形成する一方、以下に説明される無線通信システム１００の他のコンポーネントは、移動無線通信ネットワーク側の一部、即ち移動無線通信ネットワーク（例えば、ａ  Ｐｕｂｌｉｃ  Ｌａｎｄ  Ｍｏｂｉｌｅ  Ｎｅｔｗｏｒｋ：ＰＬＭＮ）の一部である。
【００４１】
更に、無線通信システム１００は、複数の無線アクセス・ネットワーク・ノード、即ち、５Ｇ（第５世代）無線アクセス技術（５Ｇニュー・ラジオ）に従って無線アクセスを提供するように構成された基地局を含む可能性がある無線アクセス・ネットワーク１０３を含む。なお、無線通信システム１００は、ＬＴＥ（Ｌｏｎｇ  Ｔｅｒｍ  Ｅｖｏｌｕｔｉｏｎ）又は他の移動無線通信規格に従って構成される可能性があるが、ここでは一例として５Ｇが使用されている。各無線アクセス・ネットワーク・ノードは、エア・インターフェースを介して移動無線端末デバイス１０２との無線通信を提供することができる。無線アクセス・ネットワーク１０３は任意の数の無線アクセス・ネットワーク・ノードを含んでもよいことに留意されたい。
【００４２】
無線通信システム１００は、ＲＡＮ１０３に接続されたアクセス・モビリティ管理機能（ＡＭＦ）１０１、統合データ管理（ＵＤＭ）１０４、及びネットワーク・スライス選択機能（ＮＳＳＦ）１０５を含むコア・ネットワーク１１８を更に含む。ここで、そして以下の例において、ＵＤＭは、実際のＵＥの加入データベース、例えば統合データ・リポジトリ（Ｕｎｉｆｉｅｄ  Ｄａｔａ  Ｒｅｐｏｓｉｔｏｒｙ：ＵＤＲ）として知られているものから更に構成されてもよい。コア・ネットワーク１１８は、認証サーバー機能（Ａｕｔｈｅｎｔｉｃａｔｉｏｎ  Ｓｅｒｖｅｒ  Ｆｕｎｃｔｉｏｎ：ＡＵＳＦ）１１４及びポリシー制御機能（Ｐｏｌｉｃｙ  Ｃｏｎｔｒｏｌ  Ｆｕｎｃｔｉｏｎ：ＰＣＦ）１１５を更に含む。
【００４３】
コア・ネットワーク１１８は、複数のネットワーク・スライス１０６、１０７を有することが可能であり、各ネットワーク・スライス１０６、１０７について、オペレータは、複数のネットワーク・スライス・インスタンス（ＮＳＩ）１０８、１０９を作成することができる。例えば、コア・ネットワーク１１８は、拡張モバイル・ブロードバンド（ｅＭＢＢ）を提供するための３つのコア・ネットワーク・スライス・インスタンス（ＣＮＩ）１０８を有する第１コア・ネットワーク・スライス１０６と、Ｖ２Ｘ（Ｖｅｈｉｃｌｅ−ｔｏ−Ｅｖｅｒｙｔｉｎｇ）を提供するための３つのコア・ネットワーク・スライス・インスタンス（ＣＮＩ）１０９を有する第２コア・ネットワーク・スライス１０７とを含む。
【００４４】
典型的には、ネットワーク・スライスが配備される場合に、ネットワーク機能（ＮＦ）はインスタンス化されるか、又は（既にインスタンス化されている場合には）ネットワーク・スライス・インスタンス（ＮＳＩ）を形成するために参照され、ネットワーク・スライス・インスタンスに属するネットワーク機能は、ネットワーク・スライス・インスタンス識別子とともに設定される。
【００４５】
具体的には、図示の例では、第１コア・ネットワーク・スライス１０６の各インスタンス１０８は、第１セッション管理機能（ＳＭＦ）１１０及び第１ユーザー・プレーン機能（ＵＰＦ）１１１を含み、第２コア・ネットワーク・スライス１０７の各インスタンス１０９は、第２セッション管理機能（ＳＭＦ）１１２及び第２ユーザー・プレーン機能（ＵＰＦ）１１３を含む。
【００４６】
シングル・ネットワーク・スライス選択支援情報（Ｓｉｎｇｌｅ  Ｎｅｔｗｏｒｋ  Ｓｌｉｃｅ  Ｓｅｌｅｃｔｉｏｎ  Ａｓｓｉｓｔａｎｃｅ  ｉｎｆｏｒｍａｔｉｏｎ：Ｓ−ＮＳＳＡＩ）は、ネットワーク・スライスを識別し、以下を含む：
−  スライス／サービス・タイプ（ＳＳＴ），特徴及びサービスの観点から期待されるネットワーク・スライス挙動を示す；
−  スライス識別部（Ａ  Ｓｌｉｃｅ  Ｄｉｆｆｅｒｅｎｔｉａｔｏｒ：ＳＤ），同じスライス／サービス・タイプの複数のネットワーク・スライス同士を区別するために、スライス／サービス・タイプを補足するオプションの情報である。
【００４７】
ＮＳＳＡＩは１つ以上のＳ−ＮＳＳＡＩを含む可能性がある。
【００４８】
許可されたＮＳＳＡＩは、例えば登録手続きの間に、サービングＰＬＭＮ（Ｐｕｂｌｉｃ  Ｌａｎｄ  Ｍｏｂｉｌｅ  Ｎｅｔｗｏｒｋ）によって提供されるＮＳＳＡＩであり、現在の登録エリアのサービングＰＬＭＮ内でＵＥが使用することに対してネットワークによって許可されたＳ−ＮＳＳＡＩ値を示す。
【００４９】
設定されたＮＳＳＡＩは、ＵＥで提供されたＮＳＳＡＩである。これは１つ以上のＰＬＭＮに適用可能である。
【００５０】
要求されたＮＳＳＡＩは、登録中にＵＥがネットワークに提供するＮＳＳＡＩである。
【００５１】
コア・ネットワーク１１８は、ネットワーク機能／ネットワーク機能サービス登録、ネットワーク機能／ネットワーク機能サービス・ディスカバリを提供するネットワーク・リポジトリ機能（Ｎｅｔｗｏｒｋ  Ｒｅｐｏｓｉｔｏｒｙ  Ｆｕｎｃｔｉｏｎ：ＮＲＦ）１１７を更に含んでもよい。ＮＲＦは、移動無線通信ネットワーク側の任意のネットワーク機能に対するインターフェースを有する可能性があり、例えばＡＭＦ１０１、ＳＭＦ１１０、１１２に対するインターフェースを有する可能性がある。簡単のために、ＮＲＦ１１７とＡＭＦ１０１との間のインターフェースのみが示されている。
【００５２】
無線通信システム１００は、更に、例えば（接続は、簡明化のために示されていないが）ＲＡＮ１０３及びコア・ネットワーク１１８に接続される１つ以上のＯＡＭサーバーによって実現されるＯＡＭ（オペレーション、アドミニストレーション、及びメンテナンス）機能（又はエンティティ）１１６を含むことができる。
【００５３】
第３世代パートナーシップ・プロジェクト（Ｔｈｉｒｄ  Ｇｅｎｅｒａｔｉｏｎ  Ｐａｒｔｎｅｒｓｈｉｐ  Ｐｒｏｊｅｃｔ：３ＧＰＰ）によれば、５Ｇ非公共ネットワークを提供することが検討されている。
【００５４】
移動ネットワーク・サービスを一般公衆に提供するネットワークとは対照的に、５Ｇ非公衆ネットワーク（ＮＰＮ、時にはプライベート・ネットワークとも呼ばれる）は、明確に定義されたユーザー組織又は組織グループに５Ｇネットワーク・サービスを提供する。５Ｇ非公衆ネットワークは、キャンパスや工場など、組織が定義した敷地に配備される。例えば以下の理由により、非公衆ネットワークが望ましい場合がある：
・高サービス品質要件。
・専用のセキュリティ信用証明によって充足される高いセキュリティ要件。
・公衆モバイル・ネットワークにおける悪意に対する保護の一形態として、他のネットワークからのアイソレーション。また、アイソレーションは、パフォーマンス、セキュリティ、プライバシー、及び安全性の理由から望ましい場合がある。
・責任。非公衆ネットワークは、利用可能性、保守、及び運用に対する責任を特定することを容易にする。
【００５５】
５Ｇ  ＮＰＮは、スタンドアロン非公衆ネットワーク（ＳＮＰＮ）として、又は公衆ネットワーク統合ＮＰＮとして配備される可能性がある。
【００５６】
スタンドアロンの非公衆ネットワーク（隔離された配備）では、ＮＰＮは独立したスタンドアロン・ネットワークとして配備される。全てのネットワーク機能は、定められた敷地（例えば、工場）の論理的な境界の内側に位置付けられ、ＮＰＮは公衆ネットワークとは別個である。ＮＰＮと公衆ネットワークとの間の唯一の通信経路はファイアウォールを介するものである。ファイアウォールは、明確に定められ、識別可能な境界点である。ＮＰＮのオペレータは、ＮＰＮを運用すること及びこの地点までの全てのサービス属性に対して、単独の排他的な責任を負う。
【００５７】
ＳＮＰＮは３ＧＰＰで定義された技術に基づいており、自身専用のＳＮＰＮ  ＩＤにより完全に独立している。ファイアウォールを経由する公衆ネットワーク・サービスへのオプション接続は、ＮＰＮカバレッジ内で、音声などの公衆ネットワーク・サービスへのアクセスを可能にするために使用されることが可能である。代替的に、ＮＰＮデバイス（ＵＥ）は、そのサービスにアクセスするために公衆ネットワークに直接的に加入することが可能である（デュアル加入）。望まれる場合には、公衆ネットワークを介してＮＰＮサービスにアクセスするために、オプションの接続が活用されることが可能である。更に、ＮＰＮオペレータは、１つ以上の公衆ネットワーク・オペレータとローミング契約を締結することが可能であり、オプションの接続もまたこの目的のために使用されることが可能である。公衆ネットワークとのローミング契約は、特定のユース・ケースに依存して技術的制約を伴う可能性がある。
【００５８】
図２Ａ及び２Ｂは、ＮＰＮ２０１、２０２、２０３をＳＮＰＮとして配備するための配備オプションを示す。
【００５９】
図２Ａにおいて、ＳＮＰＮ２０１の複数のＵＥ２０４、即ちＳＮＰＮ２０１の加入者端末は、図１を参照して説明したように、ＲＡＮ２０５を介して複数のネットワーク・スライス２０６に接続される。
【００６０】
図２Ｂでは、第１ＳＮＰＮ２０２及び第２ＳＮＰＮ２０３が存在する。第１ＳＮＰＮ２０２のＵＥ２０７は、図１を参照して説明したように、ＲＡＮ２０８を介して複数の第１ネットワーク・スライス２０９に接続され、第２ＳＮＰＮ２０３のＵＥ２１２は、図１を参照して説明したように、ＲＡＮ２０８を介して複数の第２ネットワーク・スライス２１０に接続される。
【００６１】
ＳＮＰＮ２０２、２０３は、コア・ネットワーク機能、例えば、制御プレーン・コア・ネットワーク機能２１１（ユーザー・プレーン・コア・ネットワーク機能以外）を共有することが可能である。
【００６２】
各ＳＮＰＮ２０１、２０２、２０３は、ＳＮＰＮ  ＩＤによって識別される。ＳＮＰＮ  ＩＤは、ＰＬＭＮ  ＩＤとネットワークＩＤ（Ｎｅｔｗｏｒｋ  ＩＤ：ＮＩＤ）との組み合わせであり、これは（ＳＮＰＮが提供されている）企業によりローカルに管理されることが可能である、又はセントラル・エンティティによりユニバーサルに管理されることが可能である。
【００６３】
ネットワーク及びセル選択を可能にするために、ＲＡＮ２０５、２０８は、
・１つ以上のＰＬＭＮ  ＩＤ、
・ＰＬＭＮ  ＩＤごとのＮＩＤ、
・ＮＩＤごとの人が読み取ることが可能なネットワーク名（オプション）、
・ＳＮＰＮをサポートしていないＵＥがＳＮＰＮセルにアクセスすることを防止するための情報（オプション）をブロードキャストする。
【００６４】
ＳＮＰＮ配備オプションに関して、図２Ａに示されるようにＲＡＮ２０５は単一のＮＰＮに対して排他的に使用されてもよいし、又は図２Ｂに示されるようにＲＡＮ２０８は、単一のＮＰＮオペレータによって管理されるが、複数の企業間で共有されてもよい（即ち、複数の企業に対して個々のＳＮＰＮ２０３、２０４がある）。
【００６５】
ＲＡＮはまた、複数のＮＰＮオペレータによって共有される可能性があり、各ＮＰＮオペレータは１つ以上の企業にサービスを提供する可能性がある（図２Ａ及び２Ｂには示されていない）。
【００６６】
公衆ネットワーク統合ＮＰＮ配備では、非公衆ネットワークが１つ以上の公衆ネットワークと共に配備される。この配備は、公衆ネットワークと非公衆ネットワークとの組み合わせである。これらのシナリオは、定められた敷地での特定のユース・ケースが公衆ネットワークによって完全にサポートされることが可能であるが、他方は専用のＮＰＮを必要とすることを仮定している。従って２つのネットワーク部分が存在し、１つは公衆であり、１つは非公衆であり、トラフィックは適切なパートに割り振られる。
【００６７】
ＮＰＮ及び公衆ネットワークは無線アクセス・ネットワークの一部を共有する可能性があるが、他のネットワーク機能は分離されたままである。この場合、ＮＰＮトラフィック部分に関連するすべてのデータ・フローは、定められた構内、例えば工場の論理的な境界内にあり、公衆ネットワーク・トラフィック部分は公衆ネットワークに転送される。なお、３ＧＰＰ仕様はＲＡＮ共有を可能にする機能を含むことに留意されたい。ＮＰＮユーザーに対してのみアクセス可能である追加の基地局を設定することが可能である。
【００６８】
図３は、公衆ネットワーク統合ＮＰＮ３００としてのＮＰＮの配備を示す。
【００６９】
上述のように、公衆ネットワーク統合ＮＰＮは、ＰＬＭＮを介して、例えばＮＰＮに割り当てられたネットワーク・スライス・インスタンス又は専用のＤＮＮ（データ・ネットワーク名）によって、利用可能にされるＮＰＮである。
【００７０】
ＮＰＮがＰＬＭＮを介してＵＥに利用可能になると、ＵＥはＰＬＭＮのサブスクリプションを有する。
【００７１】
図３の例では、２つのＮＰＮが存在し、各々は各自のクローズド・アクセス・グループ（Ｃｌｏｓｅｄ  Ａｃｃｅｓｓ  Ｇｒｏｕｐ：ＣＡＧ）３０１、３０２に対応する。ＣＡＧ３０１、３０２は、関連する無線セル３０４を介してＮＰＮにアクセスすることを許可されていないＵＥ３０３が、（無線セル３０４が一部分である）ＲＡＮにアクセスすることを防止するために使用される一方、ＲＡＮが無線セル３０４を介して、クローズド・アクセス・グループ３０１、３０２に属するＵＥ３０５、３０６にアクセスすることを許可する。
【００７２】
図３の例では、それぞれのＮＰＮ  ＵＰＦ（Ｎ−ＵＰＦ）３０７は、クローズド・サブスクライバ・グループ３０１、３０２に関連付けられ（及びＰＬＭＮによって使用されておらず）、例えばＰＤＵ（プロトコル・データ・ユニット）セッションをＮＰＮ  ＵＥ３０５、３０６（矢印３１１によって示されるように）に提供することができる。第２ＣＡＧ３０２に対応する第２ＮＰＮは、ＮＰＮ  ＳＭＦ（Ｎ−ＳＭＦ）３０８を有する一方、第１ＣＡＧ３０１に対応する第１ＮＰＮは、ＰＬＭＮのＳＭＦ３０９を使用する。両方のＮＰＮは、ＰＬＭＮのＡＭＦ３１０を使用する。
【００７３】
それぞれのＣＡＧ  ＩＤは、それぞれのＣＡＧ３０１、３０２に関連する１つ以上のＣＡＧセル３０４にアクセスすることが許可されている加入者のグループ（この例ではＵＥ  ３０５、３０６）を識別する。
【００７４】
ＣＡＧ  ＩＤは、ＰＬＭＮ  ＩＤの範囲内で一意である。ネットワーク及び／又はセル選択を動作可能にするために、ＲＡＮは、ＰＬＭＮ  ＩＤごとのＣＡＧ  ＩＤと、選択的に、ＣＡＧ  ＩＤごとの人間が読めるネットワーク名とをブロードキャストする。
【００７５】
配備オプションに関し、ＲＡＮは（図３には示されていない）単一のＮＰＮに排他的に使用されてもよいし、又は（図３に示されるように）ＲＡＮはＰＬＭＮによって管理されるが複数のＮＰＮで共有されてもよい。
【００７６】
様々な実施形態によれば、例えば図２及び図３によるスタンドアロンＮＰＮの配備及び公衆ネットワーク統合ＮＰＮの配備の両方に対してＮＰＮをサポートするために、ＯＡＭ機能１１６は、ＮＰＮサポートのために拡張される。
【００７７】
更に、無線セルは、複数のＮＰＮをサポートする可能性があり、例えばＳＮＰＮセルは複数のＮＰＮをサポートする可能性があり（１つのＮＰＮオペレータは、１つより多いＮＩＤをサポートする可能性があり）、従ってネットワーク機能（ＮＦ）は特定のＮＰＮに専用であるとすることが可能である。様々な実施形態によれば、ＮＦが、通信に適切なＮＦを発見することを可能にするために、現在のＮＦ又はＮＦサービス登録／ディスカバリは、例えばそのような複数のＮＰＮ配備シナリオをサポートするように拡張される。
【００７８】
具体的には、様々な実施形態によれば、（図２Ａ、２Ｂ及び３に関連して上述したように）ＲＡＮによってブロードキャストされるべき情報を用いて、ＯＡＭによってＲＡＮを設定するアプローチが説明される。更に、ＳＮＰＮとＰＬＭＮ統合ＮＰＮをサポートするＲＡＮのためのネットワーク・リソース・モデル（ＮＲＭ）拡張が説明される。
【００７９】
更に、（例えば、ネットワーク・スライスが複数のＮＰＮに共有される）複数のＮＰＮ配備シナリオの場合に、ＣＮ  ＮＦがＰＬＭＮ−ＩＤ及びＮＩＤに基づいてＮＦを発見及び／又は選択することを可能にするアプローチが提供される。同様に、（例えば、ネットワーク・スライスが複数のＮＰＮに共有される）複数のＮＰＮ配備シナリオの場合に、ＣＮ  ＮＦ又はＣＮ  ＮＦサービスがＣＡＧ−ＩＤに基づいてＮＦを又はＣＡＧ−ＩＤに基づいてＮＦサービスを発見及び／又は選択ことを可能にするアプローチが提供される。
【００８０】
様々な実施形態によれば、特定のＮＰＮ専用のＮＰサービス又はＮＦ又はＯＡＭが、ＮＲＦ又はＳＣＰ（Ｓｅｒｖｉｃｅ  Ｃｏｍｍｕｎｉｃａｔｉｏｎ  Ｐｒｏｘｙ）に登録するためのメカニズムが説明される。
【００８１】
以下では、様々な実施形態によるネットワーク・リソース・モデル（ＮＲＭ）の拡張が説明される。
【００８２】
図４は、ＮＲセルＮＲＭの拡張を例示するテーブル４００を示す。
【００８３】
ＮＲＣｅｌｌＣＵ  ＩＯＣ（Ｉｎｆｏｒｍａｔｉｏｎ  Ｏｂｊｅｃｔ  Ｃｌａｓｓ）は、自動近隣関係（Ａｕｔｏｍａｔｉｃ  Ｎｅｉｇｈｂｏｒ  Ｒｅｌａｔｉｏｎ：ＡＮＲ）によりセル間の移動性及び近隣関係の管理を担当するセントラル・ユニット（Ｃｅｎｔｒａｌ  Ｕｎｉｔ：ＣＵ）によって要求される情報を表す。
【００８４】
テーブル４００の第１列４０１は、新しい無線セルの、例えばＲＡＮ１０３の属性を表す。例えば、ＯＡＭ機能１１６は、無線セルに対するこれらの属性（即ち、これらの属性の設定値）を、例えば無線セルを動作させる基地局のマネジメントの部分で設定することができる。
【００８５】
第４行において、テーブル４００は、ＳＮＰＮをサポートするために様々な実施形態に従って導入される可能性がある属性“ｎＩＤＬｉｓｔ”を含む。無線セルがサポートすべき１つ以上のＮＰＮの１つ以上のＮＩＤを指定するように設定されてもよく。ＮＲＣｅｌｌＣＵ属性“ｐＬＭＮＩｄＬｉｓｔ”についての第３行で設定されるような１つより多いＰＬＭＮをセルがサポートする場合、各ＰＬＭＮは、各自自身のＮＩＤリストを有する。
【００８６】
第５行において、テーブル４００は、公衆統合ＮＰＮをサポートするために様々な実施形態に従って導入される可能性がある属性“ｃＡＧＩＤＬｉｓｔ”を含む。これは無線セルがサポートすべき１つ以上のＮＰＮの１つ以上のＣＡＧ−ＩＤを指定するように設定されてもよい。ＮＲＣｅｌｌＣＵ属性“ｐＬＭＮＩｄＬｉｓｔ”についての第３行で設定されるように１つより多いＰＬＭＮをセルがサポートする場合、各ＰＬＭＮは、各自自身のＣＡＧ  ＩＤリストを有する。
【００８７】
ＮＲセルがＳＮＰＮ配備をサポートする場合、ｎＩＤＬｉｓｔ属性のみが存在し、ｃＡＧＩｄＬｉｓｔ属性は存在しないことに留意されたい。ＮＲセルが公衆統合ＮＰＮをサポートする場合、ｃＡＧＩｄＬｉｓｔ属性のみが存在し、ｎＩＤＬｉｓｔ属性は存在しない。
【００８８】
第１３行において、テーブル４００は、様々な実施形態に従って導入される可能性がある属性「ｒＲＭＰｏｌｉｃｙＲａｔｉｏ３」を含む。これは無線セルの無線リソースが複数のＮＰＮ間で分配されるべき比率を示すように設定されてもよい。
【００８９】
第１２行において、テーブル４００は、様々な実施形態に従って導入される可能性がある属性「ｒＲＭＰｏｌｉｃｙＮＩＤ」又は属性「ｒＲＭＰｏｌｉｃｙＣＡＧＩＤ」を含む。これはｒＲＭＰｏｌｉｃｙＲａｔｉｏ３属性値（又は値）が適用されるべきＮＩＤ又はＣＡＧ−ＩＤのリストをそれぞれ指定するように設定されてもよい（即ち、それらの間で無線リソースが値に応じて配分される）。
【００９０】
共有される可能性のある無線リソースは、例えば周波数（例えば、キャリア）及び時間の観点からのリソースである、無線セル（一般的には、ＲＡＮ）で利用可能な物理リソース・ブロック（ＰＲＢ）である。
【００９１】
従って、属性“ｒＲＭＰｏｌｉｃｙＲａｔｉｏ３”は、（属性“ｒＲＭＰｏｌｉｃｙＮＩＤ”又は“ｒＲＭＰｏｌｉｃｙＣＡＧＩＤ”の）サポートされるＮＩＤ／ＣＡＧＩＤリスト間の無線リソースの分割比を設定するＲＲＭポリシーを指定する。値ｒＲＭＰｏｌｉｃｙＲａｔｉｏ３は、例えば、対応するｒＲＭＰｏｌｉｃｙＮＩＤ値に対して指定されたターゲット・パーセント値のリストである。全ての値は、時間平均で、対応するＳ−ＮＳＳＡＩ（例えば、図２のスライス２０９、２１０）に割り当てられるべきＰＲＢのパーセンテージを指定する。値の合計は１００以下であるものとする。
【００９２】
例えば、属性“ｒＲＭＰｏｌｉｃｙＲａｔｉｏ３”及び“ｒＲＭＰｏｌｉｃｙｃｙＮＩＤ”又は“ｒＲＭＰｏｌｉｃｙＣＡＧＩＤ”は、無線リソースが２つのＮＰＮの間で３０％〜７０％で配分されるべきであることを指定することができる。テーブル１は、異なるＮＰＮに対する無線リソース管理比率ポリシーを有するＮＲセルＮＲＭの別の例を示す。
表１
【表１】
2021526744.tif 000003
【００９３】
なお、第２列、第４列の各々において、割り当てられたリソースの合計は１００％になることに留意すべきである。
【００９４】
更に、図４のテーブル４００の第７行は、ＲＲＭポリシーのタイプを指定する属性“ｒＲＭＰｏｌｉｃｙＴｙｐｅ”を含むことにも留意されたい。これは以下の値を有する可能性がある：
・値０は、ｒＲＭＰｏｌｉｃｙの使用を示す。
・値１は、ｒＲＭＰｏｌｉｃｙＮＳＳＩＩｄ，ｒＲＭＰｏｌｉｃｙＲａｔｉｏの使用を示す。
・値２は、ｒＲＭＰｏｌｉｃｙＲａｔｉｏ２の使用を示す。
・値３は、ｒＲＭＰｏｌｉｃｙＮＳＳＩＩｄ，ｒＲＭＰｏｌｉｃｙＲａｔｉｏ，ｒＲＭＰｏｌｉｃｙＮＩＤ／ｒＲＭＰｏｌｉｃｙＣＡＧＩＤ，及びｒＲＭＰｏｌｉｃｙＲａｔｉｏ３の使用を示すために様々な実施形態に従って導入される。
【００９５】
図５は、ＳＭＦ  ＮＲＭの拡張を示すテーブル５００を示す。
ＳＭＦＦｕｎｃｔｉｏｎ  ＩＯＣは、５ＧＣにおけるＳＭＦ機能を示す。
【００９６】
テーブル５００の第１列５０１は、ＳＭＦの属性、例えば図１のＳＭＦ１１０又は１１２の属性を表す。例えば、ＯＡＭ関数１１６は、ＳＭＦに対するこれらの属性（即ち、これらの属性の設定値）を、例えばＳＭＦのマネジメントの部分で設定することができる。
【００９７】
第７行において、テーブル５００は、ＳＮＰＮをサポートするために様々な実施形態に従って導入される可能性がある属性“ｎＩＤＬｉｓｔ”を含む。これはＳＭＦがサポートすべき１つ以上のＮＰＮの１つ以上のＮＩＤを指定するように設定されてもよい。
【００９８】
第８行において、テーブル５００は、公衆統合ＮＰＮをサポートするために、様々な実施形態に従って導入される可能性がある属性“ｃＡＧＩＤＬｉｓｔ”を含む。これはＳＭＦがサポートすべき１つ以上のＮＰＮの１つ以上のＣＡＧ−ＩＤを指定するように設定されてもよい。
【００９９】
ＮＲセルがＳＮＰＮ配備をサポートする場合、ｎＩＤＬｉｓｔ属性のみが存在し、ｃＡＧＩｄＬｉｓｔは存在しないことに留意を要する。ＮＲセルが公衆統合ＮＰＮをサポートする場合、ｃＡＧＩｄＬｉｓｔ属性のみが存在し、ｎＩＤＬｉｓｔは存在しない。
【０１００】
図６はＵＰＦ  ＮＲＭの拡張を例示するテーブル６００を示す。
ＵＰＦＦｕｎｃｔｉｏｎ  ＩＯＣは５ＧＣにおけるＵＰＦ機能を表す。
【０１０１】
テーブル６００の第１列６０１は、ＵＰＦの属性、例えば図１のＵＰＦ  １１１又は１１３を表す。例えば、ＯＡＭ機能１１６は、ＵＰＦに対するこれらの属性（即ち、これらの属性に対する設定値）を、例えばＵＰＦのマネジメントの部分で設定することができる。
【０１０２】
第５行において、テーブル６００は、ＳＮＰＮをサポートするために様々な実施形態に従って導入される可能性がある属性“ｎＩＤＬｉｓｔ”を含む。これはＵＭＦがサポートすべき１つ以上のＮＰＮの１つ以上のＮＩＤを指定するように設定されてもよい。
【０１０３】
第６行において、テーブル６００は、公衆統合ＮＰＮをサポートするために様々な実施形態に従って導入される可能性がある属性“ｃＡＧＩＤＬｉｓｔ”を含む。これはＵＭＦがサポートすべき１つ以上のＮＰＮの１つ以上のＣＡＧ−ＩＤを指定するように設定されてもよい。
【０１０４】
ＮＲセルがＳＮＰＮ配備をサポートする場合、ｎＩＤＬｉｓｔ属性のみが存在し、ｃＡＧＩｄＬｉｓｔは存在しないことに留意されたい。ＮＲセルが公衆統合ＮＰＮをサポートする場合、ｃＡＧＩｄＬｉｓｔ属性のみが存在し、ｎＩＤＬｉｓｔは存在しない。
【０１０５】
図７は、プロビジョニングのＲＥＳＴＦｕｌｌ  ＨＴＴＰベースのソリューション・セットを使用することによるＯＡＭ機能による（例えば、基地局における）ＮＲセルに対するＮＲセル管理オブジェクト・インスタンス（Ｍａｎａｇｅｄ  Ｏｂｊｅｃｔ  Ｉｎｓｔａｎｃｅ：ＭＯＩ）作成の具体例を例示するフロー図７００を示す。
【０１０６】
フローには、ＯＡＭ機能７０１（例えば、ＯＡＭ機能１１６に対応する）及びＮＲセル７０２（例えば、ＲＡＮ１０３の基地局に対応する）が含まれる。
【０１０７】
７０３において、ＯＡＭ７０１は、ＨＴＴＰ  ＰＵＴをＮＲセル７０２に送信する。これは、図４のテーブル４００に示されるような属性を含むことが可能な属性リスト、管理オブジェクト・インスタンス、及び管理オブジェクト・クラスの詳細を含む。
【０１０８】
７０４において、ＮＲセル７０２は、生成された管理対象オブジェクト・インスタンスの属性のリストを含むことが可能なＨＴＴＰ２０１生成メッセージで確認応答する。
【０１０９】
図８は、プロビジョニングのＲＥＳＴＦｕｌ  ＨＴＴＰベースのソリューション・セットを使用することによる、ＯＡＭ機能による、（例えば、基地局における）ＮＲセルに対するＮＲセル属性修正の具体例を例示するフロー図８００を示す。
【０１１０】
フローには、ＯＡＭ機能８０１（例えば、ＯＡＭ機能７０１に対応する）及びＮＲセル８０２（例えば、ＮＲセル７０２に対応する）が含まれる。
【０１１１】
８０３において、ＯＡＭ８０１は、ＨＴＴＰ  ＰＡＴＣＨをＮＲセル８０２に送信する。これは、ベース・オブジェクト・インスタンス、図４のテーブル４００に示すされるような属性値の修正のリスト、及び例えば図７に従って作成された管理オブジェクト・インスタンスのリストの詳細を含む。
【０１１２】
８０４において、ＮＲセル８０２は、実行される修正のリストを含むことが可能なＨＴＴＰ  ２００  ＯＫメッセージで確認応答する。
【０１１３】
以下では、様々な実施形態に従ってＳＮＰＮ及び公衆統合ＮＰＮをサポートするためのＮＦディスカバリ及びＮＦ選択の拡張が説明される。
【０１１４】
図９は、プロファイルの拡張を例示するテーブル９００を示す。
テーブル９００の第１列９０１は、ＮＲＦ１１７に記憶される可能性があるものとして、例えばＳＭＦ１１０、１１２又はＵＰＦ１１１、１１３のようなネットワーク機能の属性を表す。
【０１１５】
第８行において、テーブル９００は、ＳＮＰＮ又は公衆統合ＮＰＮをそれぞれサポートするために様々な実施形態に従って導入される可能性がある属性“ｎＩＤＬｉｓｔ”又は属性“ｃＡＧＩＤＬｉｓｔ”を含む。
【０１１６】
属性“ｎＩＤＬｉｓｔ”は、ＮＦがサポートする１つ以上のＮＰＮの１つ以上のＮＩＤを指定することが可能である。属性“ｃＡＧＩＤＬｉｓｔ”は、ＮＦがサポートする１つ以上のＮＰＮの１つ以上のＣＡＧ−ＩＤを指定することが可能である。
【０１１７】
ＮＰＮサポートのためのＮＦ登録の拡張については、図１０及び図１１を参照しながら説明される。
【０１１８】
図１０は、ＲＥＳＴＦｕｌ  ＨＴＴＰベースのプロトコル・メッセージを使用することにより、ネットワーク機能により、ネットワーク機能（ＮＦ）をＮＲＦに登録することを例示するフロー図１０００を示す。
【０１１９】
フローには、ネットワーク機能１００１及びＮＲＦ１００２が含まれる。
１００３において、ネットワーク機能１００１は、図９に関連して説明されるような属性を含むＮＦプロファイルの詳細を含むＰＵＴメッセージをＮＲＦ１００２に送信する。
【０１２０】
１００４において、ＮＲＦ１００２は、登録されたＮＦプロファイルを示す２０１作成メッセージによって登録を確認応答する。
【０１２１】
図１１は、ＲＥＳＴＦｕｌ  ＨＴＴＰベースのプロトコル・メッセージを使用することにより、ＯＡＭ機能により、ネットワーク機能（ＮＦ）をＮＲＦ又はＳＣＰ（サービス通信プロキシ）に登録することを例示するフロー図１１００を示す。
【０１２２】
フローには、ＯＡＭ機能１１０１及びＮＲＦ／ＳＣＰ１１０２が含まれる。
【０１２３】
１１０３において、ＯＡＭ機能１１０１は、図９に関連して説明されるような属性を含むＮＦプロファイルの詳細を含むＰＵＴメッセージをＮＲＦ／ＳＣＰ１１０２に送信する。
【０１２４】
１１０４において、ＮＲＦ／ＳＣＰ１１０２は、登録されたＮＦプロファイルを示す２０１作成メッセージによって登録を確認応答する。
【０１２５】
図１２は、ＮＲＦ又はＳＣＰを利用してネットワーク機能によって実行されるＮＦディスカバリを例示するフロー図１２００を示す。
【０１２６】
フローには、ネットワーク機能１２０１及びＮＲＦ／ＳＣＰ１２０２が含まれる。ネットワーク機能１２０１は、ＮＦディスカバリを実行すること、即ち別のネットワーク機能を発見することを意図している。
【０１２７】
１２０３において、ネットワーク機能１２０１は、発見しようとしているＮＦの特徴（例えば、ＮＦタイプ）を指定するクエリ・パラメータを含むＧＥＴメッセージをＮＲＦ／ＳＣＰ１２０２に送信する。
【０１２８】
１２０４において、ＮＲＦ／ＳＣＰ１２０２は、例えばクエリ・パラメータに一致する発見されたＮＦプロファイルの形式で、２００ＯＫメッセージを利用して検索結果をＮＦ１２０１に提供する。ＮＦプロファイルは、図９を参照して説明される属性、特にｎＩＤＬｉｓｔ又はｃＡＧＩＤＬｉｓｔを含む可能性がある。
【０１２９】
様々な実施形態によれば、ＮＰＮに対する及びＰＬＭＮに対するネットワーク・アクセスを提供するハイブリッド・セルに対して、ＮＲＭの拡張が提供される可能性がある。
【０１３０】
図１３は、公衆ネットワーク統合ＮＰＮに対するハイブリッド・セル１３０１を含む通信形態を示す。
【０１３１】
通信形態は、ＡＭＦ１３０２、Ｐ−ＳＭＦ１３０３、及びＰ−ＵＰＦ１３０４（「Ｐ」は公衆を示す）を含むＰＬＭＮと、Ｎ−ＵＰＦ１３０８を含みＰＬＭＮコンポーネント１３０２、１３０３及び１３０４を活用するＮＰＮとをサポートしている。
【０１３２】
ハイブリッド・セル１３０１を介して、ＰＬＭＮの加入者端末１３０５は、ＰＬＭＮ、例えばＰ−ＵＰＦ１３０４にアクセスすることができ、ＮＰＮの加入者端末１３０６は、ＮＰＮ、例えばＮ−ＵＰＦ１３０５にアクセスすることができる。
【０１３３】
ハイブリッドＵＥ、即ちＰＬＭＮ及びＮＰＮ双方の加入者端末は、ハイブリッド・セル１３０１を介して、ＰＬＭＮ及びＮＰＮ（例えば、Ｐ−ＵＰＦ１３０４及びＮ−ＵＰＦ１３０５）の両方にアクセスすることができる。
【０１３４】
ＮＲＭエンハンスメント及びＮＦプロファイル・エンハンスメントが適用される可能性がある別の例は、図１４に示されるように、マルチＣＡＧセルに基づいて配備される公衆ネットワーク統合ＮＰＮである。
【０１３５】
図１４は、ＮＰＮのマルチＣＡＧセル・ベースの配備を示す。
【０１３６】
図１４の例では、４つのＮＰＮ１４０１〜１４０４が存在し、それぞれが１つ以上の個々のクローズド・アクセス・グループ（ＣＡＧ）に対応している。マルチＣＡＧセル１４０５は、クローズド・アクセス・グループに属するＵＥ１４０６〜１４１０が、ＲＡＮ及び個々のネットワーク・スライス１４１１〜１４１６にアクセスすることを可能にする。
【０１３７】
図３の例と同様に、ＮＰＮ１４０１〜１４０４は、各自自身のネットワーク機能を有する可能性があり、又はＡＭＦ１４１７、１４１８及びＮＳＳＦ１４１９などのＰＬＭＮのネットワーク機能を使用する可能性がある。
【０１３８】
第４ＮＰＮ１４０４は、２つのネットワーク・スライス１４１５、１４１６を備え、これらは例えば各々が各自のユーザー（ＵＥ）のグループにサービスを提供する可能性があることに留意すべきである。
【０１３９】
同一のＮＰＮ内に（例えば、企業内に）複数のユーザー・グループを有し、それらは各自のネットワーク・スライスによって応対されるユース・ケースは、企業のエンド・ユーザーについての様々なクラスを提供することであり、例えば、デフォルト・ユーザーｖｓ．プレミアム・ユーザー、経験豊富なユーザーｖｓ．通常のユーザー、ヘビー・ユーザーｖｓ．ライト・ユーザー、又は企業の技術職ｖｓ．管理職などである。
【０１４０】
ＮＰＮが複数のネットワーク・スライスを有するような場合、ＣＡＧ−ＩＤのような追加のパラメータ（又は追加的に導入されたパラメータ）が、ＡＭＦによるＳＭＦ／ＵＰＦ選択に使用されてもよい。
【０１４１】
要約すると、様々な実施形態に従って移動通信ネットワーク構成が図１５に示されるように提供される。
【０１４２】
図１５は実施形態による移動通信ネットワーク構成を示す。
【０１４３】
移動通信ネットワーク構成１５００は、通信ネットワーク機能を提供するように構成された第１通信ネットワーク・コンポーネント１５０１を備える。
【０１４４】
更に、移動通信ネットワーク構成は、第１通信ネットワーク・コンポーネントの属性に対するアドミニストレーション及びマネジメントを行うように構成された第２通信ネットワーク・コンポーネントを備え、属性は、第１通信ネットワーク・コンポーネントが通信ネットワーク機能を提供すべき１つ以上の非公衆通信ネットワーク又は１つ以上の非公衆通信ネットワーク加入者グループを指定する。
【０１４５】
様々な実施形態によれば、言い換えると、通信ネットワーク・コンポーネント、例えばＲＡＮコンポーネント又はＣＮコンポーネントは、それぞれのＲＡＮ又はＣＮ機能、例えばＲＡＮアクセス、（例えばＰＤＵ）セッション管理及び／又はプロビジョンなどを提供することによって、１つ以上のＮＰＮをサポートするように構成される。公衆ネットワーク統合ＮＰＮの場合、これは、例えば、通信ネットワーク・コンポーネントが１つ以上の非公衆通信ネットワーク加入者グループをサポートするように構成されることを意味する。
【０１４６】
第２通信ネットワーク・コンポーネントは、例えば１つ以上の非公衆ネットワークをサポートするために、ＮＦ（ＲＡＮコンポーネントを含む）を作成又は修正する可能性がある。更に、１つ以上の非公衆ネットワークをサポートするために、ＮＦレジストレーション、ＮＦアップデート、及びＮＦディスカバリの前に、それを行ってもよい。
【０１４７】
例えば、ＯＡＭ機能は、１つ以上のＮＰＮをサポートするために、ＮＦ及びＲＡＮコンポーネントのＮＰＮ関連属性を作成及び修正することができる。複数のＮＰＮをサポートするために、ＮＦ（又はＲＡＮコンポーネント）は共有されてもよい。
【０１４８】
移動通信ネットワーク構成は、例えば、図１６に示すような方法を実行する。
【０１４９】
図１６は、非公衆ネットワークをサポートするように移動通信ネットワーク構成を動作させる方法を例示するフロー図１６００を示す。
【０１５０】
１６０１において、通信ネットワーク機能は通信ネットワーク・コンポーネントによって提供される。
【０１５１】
１６０２において、通信ネットワーク・コンポーネントの属性に対するアドミニストレーション及びマネジメントが行われ、属性は、通信ネットワーク・コンポーネントが通信ネットワーク機能を提供すべき１つ以上の非公衆通信ネットワーク又は１つ以上の非公衆通信ネットワーク加入者グループを指定する。
【０１５２】
１６０１及び１６０２は、必ずしも図示されているような順序で実行されず、逆の順序で、同時に、又は、交互形式又は同時形式で反復的に、実行されてもよいことに留意すべきである。
【０１５３】
更なる例によれば、非公衆ネットワークのためのネットワーク・オペレーション及びネットワーク・マネジメントを実行する通信ネットワークのための方法が提供され、該方法は、以下を含む：
・無線アクセス・ネットワーク（ＲＡＮ）及びコア・ネットワーク（ＣＮ）が、非公衆ネットワーク・サービスを提供すること（ＣＮは１つ以上のネットワーク・エンティティを含む）；
・ＵＥが非公衆ネットワークへのアクセスを要求すること；及び
・オペレーション・アドミニストレーション・マネジメント（ＯＡＭ）が、公衆ネットワーク・サービスのＲＡＮ及びＣＮのマネジメント及びアドミニストレーションを行うこと。これは：
○ＣＮのネットワーク・エンティティ及びＲＡＮ、及び
○サポートされているＮＰＮのリスト（例えば、ＮＩＤリスト又はＣＡＧ  ＩＤリスト）を含むネットワーク・リソース・モデル（ＮＲＭ）に対するアドミニストレーション及びマネジメントを含む。これにより、ＯＡＭは、ＮＰＮをサポートするＣＮのネットワーク・エンティティ及びＲＡＮに対する属性を作成、削除、及び修正することができる。
【０１５４】
本方法は、サポートされるＮＰＮの非公衆ネットワーク識別子（例えば、ＮＩＤ、ＣＡＧ  ＩＤ）を考慮することによって、ネットワーク機能／ネットワーク機能サービス登録及びディスカバリを実行することを更に含む可能性がある。
【０１５５】
移動通信ネットワーク構成の構成要素（特に、第１通信ネットワーク・コンポーネント及び第２通信ネットワーク・コンポーネント）は、例えば、１つ以上の回路によって実装されてもよい。「回路」は、メモリ、ファームウェア、又はそれらの任意の組み合わせに記憶されるソフトウェアを実行するプロセッサ又は特定用途回路である可能性がある、エンティティを実装する任意の種類のロジックとして理解されることが可能である。従って「回路」はハード・ワイヤード論理回路、又は例えばプログラマブル・プロセッサ等のプログラマブル論理回路、例えばマイクロプロセッサであってもよい。「回路」は、プロセッサ実行ソフトウェア、例えば何らかの種類のコンピュータ・プログラムである可能性がある。上述した個々の機能の他の任意の種類の実装もまた「回路」として理解されてもよい。
【０１５６】
特定の態様が説明されているが、添付の特許請求の範囲によって規定される本開示の態様の精神及び範囲から逸脱することなく、形態及び詳細における種々の変更が行われる可能性があることは、当業者によって理解されるはずである。従って、本件の範囲は添付の特許請求の範囲によって示され、従って、特許請求の範囲の均等性の範囲及び意味の範囲内に入る全ての変更は、本件に包含されるように意図されている。
【図１】
2021526744.tif 000004
【図２Ａ】
2021526744.tif 000005
【図２Ｂ】
2021526744.tif 000006
【図３】
2021526744.tif 000007
【図４】
2021526744.tif 000008
【図５】
2021526744.tif 000009
【図６】
2021526744.tif 000010
【図７】
2021526744.tif 000011
【図８】
2021526744.tif 000012
【図９】
2021526744.tif 000013
【図１０】
2021526744.tif 000014
【図１１】
2021526744.tif 000015
【図１２】
2021526744.tif 000016
【図１３】
2021526744.tif 000017
【図１４】
2021526744.tif 000018
【図１５】
2021526744.tif 000019
【図１６】
2021526744.tif 000020
【国際調査報告】
2021526744.tif 000021
2021526744.tif 000022